(57)【要約】【課題】複写による偽造が禁止されている文書データに基づいて画像を生成する際に、出力されたプリントの流通経路の追跡が容易な複写偽造防止画像データを付加することができる画像生成方法及び画像生成装置を提供する。【解決手段】プリントデータ入力部１に、付加情報が付加された機密文書のＰＤＬデータが入力されると、文書画像生成部２は文書画像データを生成する。付加情報抽出部４は、潜像文字列とコード化情報からなる付加情報を抽出する。潜像生成部５は、潜像文字列から潜像文字画像データを生成し、付加情報符号化部６はコード化情報を誤り訂正符号化し、潜像文字画像データを参照してコードデータを生成する。パターン画像生成部８は、コードデータに基づきパターン格納部７に格納されたドットパターンからパターン画像を生成する。画像合成部１０は、文書画像データとパターン画像を重畳して合成して、画像形成部１１でパターン画像が合成された文書画像データをプリント出力する。【選択図】図１
2006060805.tif 000002
【特許請求の範囲】
【請求項１】
複写による偽造が禁止されている文書データに基づいて画像を生成する画像生成方法であって、
予め定められた情報に基づいて、潜像部分及び背景部分のいずれか一方に機械可読コードが設けられた複写偽造防止画像データを生成し、
生成された複写偽造防止画像データと前記文書データとを合成し、合成したデータに基づいて画像を生成する画像生成方法。
【請求項２】
前記複写偽造防止画像データを、潜像部分に機械可読コードを設けた場合には、背景部分に複写機で複写されない画像を設けて構成し、
背景部分に機械可読コードを設けた場合には、潜像部分に複写機で複写されない画像を設けて構成する請求項１に記載の画像生成方法。
【請求項３】
前記予め定められた情報は、機械可読コードを生成するためのコード化情報及び潜像画像情報の少なくとも一方を含み、文書データに付加されて入力される請求項１または２記載の画像生成方法。
【請求項４】
生成される前記機械可読コードは、面積が略等しく形状が異なる複数のパターンで構成される請求項１〜３のいずれか１項記載の画像生成方法。
【請求項５】
複写による偽造が禁止されている文書データに基づいて画像を生成する画像生成装置であって、
予め定められた情報を入力する入力手段と、
入力された情報に基づいて、潜像部分及び背景部分のいずれか一方に機械可読コードが設けられた複写偽造防止画像データを生成する生成手段と、
生成された複写偽造防止画像データと文書データとを合成する合成手段と、
を含む画像生成装置。
【請求項６】
前記生成手段は、前記情報の誤り訂正符号化処理を行った後に、前記複写偽造防止画像データを生成する請求項５に記載の画像生成装置。
【請求項７】
前記生成手段は、潜像部分及び背景部分のいずれか一方に機械可読コードが配置されるように制御する配置制御手段を備える請求項５に記載の画像生成装置。
【発明の詳細な説明】
【技術分野】
【０００１】
本発明は、画像生成方法及び画像生成装置に関し、特に、複写による偽造が禁止されている文書データに基づいて画像を生成する画像生成方法及び画像生成装置に関する。
【背景技術】
【０００２】
近年のパーソナルコンピュータの普及とプリンタ及び複写機の高性能化とに伴い、戸籍謄本、契約書等のプリントアウトされた機密文書の不正複写、不正使用が問題となっている。
【０００３】
従来、このような機密文書の不正複写、不正使用を抑制するために、複写偽造防止用紙と呼ばれる特殊な用紙が使用されてきた。複写偽造防止用紙は、人間の目には見えにくいが、複写機で複写すると隠されていた警告文字等が浮かび上がってくる特殊なパターンがあらかじめ印刷されている用紙である。この複写偽造防止用紙に印刷された文書を複写機で複写した場合、複写物には「複写禁止」等の警告文字が目立つように浮き出てくるので、不正に複写する行為に対して心理的な抑止になるとともに、警告文字によりオリジナルと複与物とを区別することが可能になる。
【０００４】
特開平７−２３１３８４号公報に記載されたデジタル記録装置は、上述の複写偽造防止用紙と同様に、複写により可視化する潜像を背景画像に埋め込んだ潜像埋込画像を画像処理により生成するものである。この装置では、ＣＣＤで読み取られた画像データを複写記録する際に、その潜像文字部分と背景部分とが特定の共通濃度で異なるディザ処理を施された潜像埋込画像を主画像に重ねあわせることにより、通常の用紙を用いて複写偽造防止用紙を用いた場合と同様のプリントを得ることができる。
【発明の開示】
【発明が解決しようとする課題】
【０００５】
しかしながら、警告文字等を浮かび上がらせるだけでは、不正行為を行った者を特定し再発を防止するなどの措置を採ることができない。このため機密文書の不正複写、不正使用を抑制するためには、どのプリンタを用いて出力されたか等も機密文書の流出経路を追跡できる情報を、プリントされた画像に付加することが特に重要となる。
【０００６】
特開平７−２３１３８４号公報に記載されたデジタル記録装置を用いて、このような情報を潜像として背景画像に埋め込むこともできる。しかしながら、背景画像に埋め込んだ潜像を複写により可視化する場合には、潜像として埋め込む文字がある程度大きくなければ可視化することができない。このため、埋め込む文字列の長さが制限され、１画像中に多くの情報を埋め込むことができない、という問題がある。また、プライバシーに関わる情報等、通常の使用では人目に触れさせたくないような情報を埋め込むのには適していない。即ち、埋め込む情報は可視化されても差し支えのない情報のみとされ、機密文書の流出経路を確実に特定するのに必要な情報を付加することができない、という問題がある。
【０００７】
また、特開平１０−２８５３８５号公報には、視覚的に識別し難いドットパターンによって、プリンタ装置のＩＰアドレスやプリント日時等の情報をプリントアウトされる画像に埋め込む記録媒体出力方法が提案されている。この方法を用いてプリントアウトされた画像には、ＩＰアドレス等の情報が埋め込まれるので、これらの情報を解析することにより出力したプリンタ装置や出力した日時等を特定することができる。またＩＰアドレス等の情報は、視覚的に識別し難いドットパターンによって付加されるので、プリントアウトされた画像の画質等を損なうこともない。
【０００８】
しかしながら、特開平１０−２８５３８５号公報に記載の方法では、視覚的に識別し難くくするために黄色のトナーを用いてドットパターンを形成しているので、白黒プリンタにはこの方法を適用できないなど汎用性に欠ける、という問題がある。また、プリントアウトされた画像を白黒の複写機で複写すると、黄色のトナーを用いて形成されたドットパターンは複写されないため、付加された情報を削除するのも容易であり流出経路の追跡が困難になる、と言う問題がある。
【０００９】
さらに、以上説明した方法や装置を用いて機密文書の不正複写、不正使用を抑制することはできるが、不正複写、不正使用を確実に防止することはできない。不正複写、不正使用を確実に防止するためには、複写機における被複写物が複写が禁止されている機密文書であることを認識して、複写動作を禁止する機能を複写機に設ける必要がある。
【００１０】
しかしながら、潜像として画像に埋め込んだドットパターン等を複写機に認識させることは困難である。また、バーコード等の機械可読コードを画像に付加してプリントアウトするようにすれば、複写機に機密文書であることを認識させることができるが、プリントアウトされた画像においてバーコードの位置を明確に判別できるため、バーコードを除いて複写することにより付加された情報を容易に削除することができる、という問題がある。
【００１１】
本発明は上記従来技術の問題点に鑑みなされたものであり、本発明の目的は、複写による偽造が禁止されている文書データに基づいて画像を生成する際に、出力されたプリントの流通経路の追跡が容易な複写偽造防止画像データを付加することができる画像生成方法及び画像生成装置を提供することにある。本発明の他の目的は、複写による偽造が禁止されている文書データに基づいて画像を生成する際に、出力されたプリントの複写を禁止する措置を講じることができる複写偽造防止画像データを付加することができる画像生成方法及び画像生成装置を提供することにある。
【課題を解決するための手段】
【００１２】
上記目的を達成するために、請求項１の画像生成方法は、複写による偽造が禁止されている文書データに基づいて画像を生成する画像生成方法であって、予め定められた情報に基づいて、潜像部分及び背景部分のいずれか一方に機械可読コードが設けられた複写偽造防止画像データを生成し、生成された複写偽造防止画像データと前記文書データとを合成し、合成したデータに基づいて画像を生成することを特徴とする。
【００１３】
請求項１の画像生成方法では、予め定められた情報に基づいて、潜像部分及び背景部分のいずれか一方に機械可読コードが設けられた複写偽造防止画像データが生成されるが、この機械可読コードは人間には容易に判読されないものであるため、複写偽造防止画像データに種々の情報を埋め込むことができ、出力されたプリントの流出経路を追跡を容易にすることができる。
【００１４】
また、この機械可読コードは機械には容易に判読されるものであるため、例えば、複写機における被複写物が複写が禁止されている文書であることを認識して複写動作を禁止する機能を複写機に設けるなど、出力されたプリントの複写を禁止する措置を講じることができる。
【００１５】
また、複写偽造防止画像データと複写による偽造が禁止されている文書データとを合成し、合成したデータに基づいて画像を生成するので、複写偽造防止用紙を使用することなく、複写偽造防止用紙を用いたのと同様の効果を得ることができる。
【００１６】
上記の画像生成方法において、機械可読コードは複写機で複写されるものであることが好ましく、複写機で複写される機械可読コードと複写機で複写されない画像とを用いて潜像が埋め込まれた複写偽造防止画像データを形成することができる。例えば、潜像部分に機械可読コードを設けた場合には、背景部分に複写機で複写されない画像を設けて複写偽造防止画像データを構成する。この場合に出力されたプリントを複写機で複写すると、背景部分が白く抜けると共に潜像部分が高濃度で複写されて、潜像が可視化される。また、背景部分に機械可読コードを設けた場合には、潜像部分に複写機で複写されない画像を設けて複写偽造防止画像データを構成することができる。この場合に出力されたプリントを複写機で複写すると、潜像部分が白く抜けると共に背景部分が高濃度で複写されて、潜像が可視化される。
【００１７】
また、予め定められた情報は、機械可読コードを生成するためのコード化情報及び潜像画像情報の少なくとも一方を含み、文書データに付加されて入力されるようにしてもよい。なお、生成される機械可読コードは、面積が略等しく形状が異なる複数のパターンで構成されることが好ましい。コード化情報や潜像画像情報を文書データに付加して入力することにより、文書データに応じてコード化情報や潜像画像情報を変更することができ、出力されたプリントの流出経路の追跡を更に容易にすることができる。
【００１８】
請求項４に記載の画像生成装置は、請求項１の画像生成方法を画像生成装置に適用したものであり、複写による偽造が禁止されている文書データに基づいて画像を生成する画像生成装置であって、予め定められた情報を入力する入力手段と、入力された情報に基づいて、潜像部分及び背景部分のいずれか一方に機械可読コードが設けられた複写偽造防止画像データを生成する生成手段と、生成された複写偽造防止画像データと文書データとを合成する合成手段と、を含んで構成したことを特徴とする。
【００１９】
上記の画像生成装置において、前記生成手段は、前記情報の誤り訂正符号化処理を行った後に、前記複写偽造防止画像データを生成することができる。情報の誤り訂正符号化処理を行うことにより、機械可読パターンを含んで構成される複写偽造防止画像データの復号処理が容易になる。
【００２０】
また、前記生成手段は、潜像部分及び背景部分のいずれか一方に機械可読コードが配置されるように制御する配置制御手段を備えていてもよい。このような配置制御手段を設けることで、潜像部分及び背景部分のいずれを可視化するかを任意に選択することができ、複写偽造防止画像データを多様化することができる。
【発明の効果】
【００２１】
本発明の画像生成方法及び画像生成装置は、複写による偽造が禁止されている文書データに基づいて画像を生成する際に、複写偽造防止用紙を使用することなく、複写偽造防止用紙を用いたのと同様の効果を得ることができる、という効果を奏する。
【００２２】
また、複写による偽造が禁止されている文書データに基づいて画像を生成する際に、出力されたプリントの流通経路の追跡が容易な複写偽造防止画像データを付加することができる、という効果を奏する。
【００２３】
また、複写による偽造が禁止されている文書データに基づいて画像を生成する際に、出力されたプリントの複写を禁止する措置を講じることができる複写偽造防止画像データを付加することができる、という効果を奏する。
【発明を実施するための最良の形態】
【００２４】
以下、図面を参照して本発明の実施の形態について詳細に説明する。
（第１の実施の形態）
図１は、本発明の画像生成装置の第１の実施の形態を示すブロック図である。この画像生成装置は、図１に示すように、プリントデータ入力部１、文書画像生成部２、文書画像バッファ３、付加情報抽出部４、潜像生成部５、付加情報符号化部６、パターン格納部７、パターン画像生成部８、パターン画像バッファ９、画像合成部１０、及び画像形成部（出力装置）１１から構成されている。
【００２５】
プリントデータ入力部１には、外部のコンピュータ等から送信された、ＰＤＬ（Printer Description Language）で記述された文書データ（ＰＤＬデータ）が入力される。このＰＤＬデータのヘッダー部には、プリントジョブを送信したコンピュータのＩＰ（Internet Protocol）アドレス、プリントジョブを送信したユーザ名、プリントする文書ファイル名、プリントする文書のタイムスタンプ、文書ファイルに設定された機密レベル、文書ファイルに設定されたパスワード等のコード化情報、及び潜像として埋め込む潜像文字列が付加情報として付加されている。これらの付加情報は、複写を禁止する必要がある機密文書等にだけ付加されている。
【００２６】
文書画像生成部２は、ＰＤＬデータをラスタ展開して２値画像化された文書画像データを生成する。文書画像バッファ３は、文書画像生成部２で生成された文書画像データを一時格納する。
【００２７】
付加情報抽出部４は、プリントデータ入力部１に入力されたＰＤＬデータからこのＰＤＬデータのヘッダー部に付加された付加情報を抽出し、抽出した付加情報を潜像文字列とコード化情報とに分解する。潜像生成部５は、潜像文字列を読み込み、読み込んだ潜像文字列をラスタ展開して２値画像化された潜像文字画像データを生成する。付加情報符号化部６は、付加情報抽出部４から入力されたコード化情報を誤り訂正符号化し、潜像生成部５から入力された潜像文字画像データを参照して誤り訂正符号化されたコード化情報をコード変換し、コードデータを生成する。
【００２８】
パターン格納部７には、図２に示す３種類のドットパターンが格納されている。なお３種類のドットパターンについては後述する。パターン画像生成部８は、パターン格納部７に格納された３種類のドットパターンからコードデータの各値に応じたドットパターンを選択し、３種類のドットパターンで構成されたパターン画像を生成する。パターン画像バッファ９は、パターン画像生成部８で生成されたパターン画像を一時格納する。
【００２９】
画像合成部１０は、文書画像バッファ３から読み出された文書画像データに、パターン画像バッファ９から読み出されたパターン画像を重畳して合成する。
【００３０】
画像形成部１１は、パターン画像が合成された文書画像データをプリント出力する。即ち、画像形成部１１は、例えばゼログラフィエンジン等のプリンタエンジンを搭載した、文書画像データを用紙上に記録するプリンタで構成されている。
【００３１】
次に、第１の実施の形態に係る画像生成装置の動作について説明する。
【００３２】
外部のコンピュータ等から送信されたＰＤＬデータがプリントデータ入力部１に入力されると、入力されたＰＤＬデータは文書画像生成部２により解釈されラスタ展開されて、２値画像化された文書画像データが文書画像バッファ３に格納される。
【００３３】
また、付加情報抽出部４によりＰＤＬデータのヘッダー部に付加された付加情報が抽出される。ＰＤＬデータから付加情報が抽出されなかった場合には、付加情報抽出部４から、付加情報が抽出されなかったことを示す信号（図示せず）が、潜像生成部５、付加情報符号化部６、パターン画像生成部８、及び画像合成部１０に送信される。この信号を受信した各部での処理は行われず、文書画像バッファ３から読み出された文書画像データは、画像合成部１０をスルーで通過して画像形成部１１にそのまま出力される。
【００３４】
ＰＤＬデータから付加情報が抽出された場合には、抽出された付加情報は、付加情報抽出部４により潜像文字列とコード化情報とに分解される。このうち潜像文字列は潜像生成部５に出力され、コード化情報は付加情報符号化部６に出力される。
【００３５】
潜像生成部５に潜像文字列が入力されると、入力された潜像文字列は所定のフォントを使用してラスタ展開され、２値画像化された潜像文字画像データが生成される。使用するフォントは、上述の複写偽造防止用紙と同様の効果を発揮させるために、比較的大きなポイント数（例えば４８ポイント）が設定されている。但し、潜像文字画像は、以下の（１）及び（２）式の関係を満足するように２値画像化されている。
【００３６】
潜像文字画像の解像度＝プリンタ解像度÷パターンの横画素数  ・・(1)
潜像文字画像の縦横画素数
＝文書画像の縦横画素数÷パターンの横画素数  ・・(2)
例えば、プリンタ解像度が６００ｄｐｉ、パターンの横画素数が１２画素、文書画像データの縦×横の画素数が４９６０×７０１５画素の場合、潜像文字画像の解像度は５０ｄｐｉ、縦×横の画素数は４１３×５８４画素となる。即ち、潜像文字画像の１画素がパターン１つの大きさに対応するように設定されている。この潜像生成部５で生成された潜像文字画像データは、付加情報符号化部６に出力される。
【００３７】
付加情報符号化部６に、付加情報抽出部４からコード化情報が入力され、潜像生成部５から潜像文字画像データが入力されると、入力されたコード化情報は付加情報符号化部６により誤り訂正符号化される。誤り訂正符号化されたコード化情報は「０」及び「１」のビット列で表されており、このビット列を１ビットずつ読み出して、読み出したビット列を所定の大きさの２次元配列（単位２次元配列）に並べ替える。この単位２次元配列の最外周のビットは、コードデータの位置決めや切り出しを容易にするために、総てビット１とされている。
【００３８】
この単位２次元配列が、さらに縦方向及び横方向に繰り返し並べられて、潜像文字画像の画素数に対応する大きさの２次元配列とされる。その後、潜像文字画像データの画素が参照されて、潜像文字画像データの画素が黒色画素である場合には、黒色画素の位置に対応する２次元配列の要素の値が強制的に、複写により再現し難いパターンを選択するための値「２」に置き換えられる。以上の通り、誤り訂正符号化されて２次元配列に並び替えられ、潜像文字画像データに応じてコード変換されたコードデータ（２次元配列データ）は、パターン画像生成部８に出力される。
【００３９】
次に、２次元配列データがパターン画像生成部８に入力されると、入力された２次元配列データの各要素の値に応じてパターン格納部７から１つのパターンが選択され、選択されたパターンが読み込まれる。例えば、要素の値が「０」であれば図２（Ａ）に示すパターン０が選択され、要素の値が「１」であれば図２（Ｂ）に示すパターン１が選択され、要素の値が「２」であれば図２（Ｃ）に示すパターン２が選択される。読み込まれた各パターンは、パターン画像バッファ９の対応する位置に書き込まれる。
【００４０】
潜像文字画像の画素数に対応する大きさの２次元配列データ全部について上記処理が繰り返されることにより、パターン画像バッファ９に、上記３種類のパターンから構成され且つ文書画像データと同じ大きさのパターン画像データが形成されて、格納される。
【００４１】
画像合成部１０では、文書画像データが文書画像バッファ３から読み出され、パターン画像がパターン画像バッファ９から読み出されると、両画像データの各画素が論理和演算によって合成され、パターン画像が合成された文書画像データが画像形成部１１に出力される。
【００４２】
画像形成部１１は、画像形成部１１の内部に設けられたプリンタエンジンにより、パターン画像が合成された文書画像データを用紙上にプリント出力する。
【００４３】
以上のようにしてプリント出力された文書画像の一例を図３（Ａ）に示す。なお、潜像部分が明確になるように全面に白の文書画像を合成した例とした。
【００４４】
図３（Ａ）には、プリント出力された文書画像の全体が示されている。図３（Ａ）中の文字「ＣＯＰＹ」の領域が複写機で複写すると浮かび上がる潜像部であり、その周囲の領域が背景部である。この図では「ＣＯＰＹ」の文字が識別できるが、実際には潜像部の「ＣＯＰＹ」の文字は識別し難くなっている。
【００４５】
図３（Ｃ）は、図３（Ａ）の四角で囲んだ領域を拡大した画像であり、プリント出力された文書画像は、パターン０〜２から構成されており、潜像部の内部にはパターン２が配置され、背景部にはパターン０または１が配置されている。
【００４６】
パターン０〜２は前記の通り各々形状が異なるが、各パターンを構成する黒色画素の数が略同じであり、パターンの配列に拠らずプリント出力された場合の濃度が同じになるように構成されている。なお、実際にはプリンタ特性により画素数が同じでもパターンにより濃度が多少異なるため、プリント出力後の濃度が正確に一致するように、各パターンを構成する黒色画素の数及びパターン形状が設定されている。
【００４７】
背景部に配置されるパターン０及び１は、図２（Ａ）及び（Ｂ）に示すように直線状の微細パターンであり、複写機で複写された場合にパターンが再現される特性を有している。これに対し、潜像部の内部に配置されるパターン２は、図２（Ｃ）に示すように孤立ドットがまばらに配置されたパターンであり、複写機で複写された場合にパターンが再現されにくい特性を有している。このため、図３（Ａ）に示す文書画像を複写機で複写すると、背景部は高濃度で複写され、潜像部の内部は画像が抜けて、図３（Ｂ）に示すように、複写物において白抜きの「ＣＯＰＹ」の文字が浮かび上がる。
（第２の実施の形態）
次に本発明の第２の実施の形態について説明する。本実施の形態は、複写機で複写すると、背景部の画像が抜けると共に潜像部の内部が高濃度で複写されて、潜像部分が可視化するようにしたものである。
【００４８】
潜像生成部５及び付加情報符号化部６の動作が異なる以外は、第１の実施の形態と同様の構成であるため同一部分については説明を省略し、相違点のみ説明する。
【００４９】
本実施の形態では、潜像生成部５は、潜像文字列を読み込み、読み込んだ潜像文字列をラスタ展開して２値画像化すると共に、予め決められた位置に所定の面積の潜像画像領域を付加して、潜像文字画像データを生成する。このような潜像画像領域を設けることで、潜像部の内部に１個以上の単位２次元配列が必ず含まれるようになり、パターン画像中に埋め込まれたコード化情報を精度よく復号することができる。
【００５０】
付加情報符号化部６においては、潜像文字画像データの画素が参照され、潜像文字画像データの画素が白色画素である場合には、白色画素の位置に対応する２次元配列の要素の値を、複写により再現し難いパターンを選択するための値「２」に強制的に置き換える。
【００５１】
図４（Ｃ）は、図４（Ａ）の四角で囲んだ領域を拡大した画像である。上記の通り白色画素の位置に対応する２次元配列の要素の値が強制的に「２」に置き換えられたことで、潜像部の内部にはパターン０または１が配置され、背景部にはパターン２が配置されるようになる。このため、図４（Ａ）に示す文書画像を複写機で複写すると、潜像部の内部は高濃度で複写され、背景部は画像が抜けて、図４（Ｂ）に示すように、複写物において黒色の「ＣＯＰＹ」の文字が浮かび上がる。また、図４（Ａ）の右上に図示するように、潜像文字画像の予め決められた位置には、所定の面積の矩形状の潜像画像領域が付加されている。
【００５２】
以上の通り、第１及び第２の実施の形態の画像生成装置でプリント出力した文書画像は、複写機で複写すると潜像として埋め込まれていた文字等の画像が浮かび上がることになるので、不正に複写する行為に対して心理的な抑止になると共に、浮かび上がった画像によりオリジナルと複与物とを区別することが可能になる。
【００５３】
また、ビット「０」に対応するパターン０は右下がりの斜線形状、ビット「１」に対応するパターン１は左下がりの斜線形状であり、そのパターン形状が相違しているので、パターン形状によりビット「０」及びビット「１」を機械で識別することができる。即ち、この２種類のパターンを用いて機械可読コードを構成することができ、プリンタのＩＰアドレス、出力日時等の情報を文書画像中に機械可読コードとして埋め込むことができる。なお、ビット「０」にパターン１を対応させ、ビット「１」にパターン０を対応させるようにしてもよい。
【００５４】
この通り文書画像中に機械可読コード（デジタルコード）を埋め込むことにより、埋め込まれた情報から出力されたプリントの流出経路を特定することができ、万が一不正に複写された場合でも、複写物に再現された機械可読コードから出力されたプリントの流出経路を容易に追跡することができる。また、機械可読コードとして複写機が読み取ることができる複写禁止情報を埋め込むことにより、この複写禁止情報を複写機側で検出して、複写機が複写を行わないようにすることができる。また、機械可読コードは人間には容易に判読できないため、プライバシーに関わる情報等、通常の使用では人目に触れさせたくないような情報等も埋め込むことができる。
【００５５】
また、誤り訂正符号化した機械可読コードを使用すると共に、この機械可読コードを画面全面に多数個繰り返し並べているので、潜像の埋め込みや文書画像との合成により一部の機械可読コードが消失しても、埋め込んだ情報を精度よく復号することができる。
【００５６】
なお、上記では、機械可読コードを構成する２つのパターン及び他の１つのパターンの３つのドットパターンでパターン画像データを形成したが、特定の情報を機械可読コードとして表示することができればよく、パターンの種類は３種類に限定されない。また、パターン画像データを生成するための処理は、ハードウエアで実行するように構成してもよく、ソフトウエアで実行するように構成してもよい。
【図面の簡単な説明】
【００５７】
【図１】第１の実施の形態の画像生成装置の構成を示すブロック図である。
【図２】（Ａ）〜（Ｃ）は、パターン格納部に格納された３種類のドットパターンを示す図である。
【図３】（Ａ）はプリント出力された文書画像の一例を示す概念図、（Ｂ）は（Ａ）が複写機で複写された場合の画像を示す概念図、（Ｃ）は（Ａ）の部分拡大図である。
【図４】（Ａ）はプリント出力された文書画像の他の例を示す概念図、（Ｂ）は（Ａ）が複写機で複写された場合の画像を示す概念図、（Ｃ）は（Ａ）の部分拡大図である。
【符号の説明】
【００５８】
１  プリントデータ入力部
２  文書画像生成部
３  文書画像バッファ
４  付加情報抽出部
５  潜像生成部
６  付加情報符号化部
７  パターン格納部
８  パターン画像生成部
９  パターン画像バッファ
１０  画像合成部
１１  画像形成部（出力装置）
【図１】
2006060805.tif 000003
【図２】
2006060805.tif 000004
【図３】
2006060805.tif 000005
【図４】
2006060805.tif 000006